(57)【要約】【課題】標準の出力形式以外の出力形式を混在させる場合でも、取扱いの容易な写真処理装置を提供する。【解決手段】画像を出力処理する画像出力装置ＥＰと、入力された画像データを前記画像出力装置ＥＰにて出力するための画像データに補正処理する画像処理装置６と、入力された画像データを画像処理装置６にて補正処理して生成した画像データを前記画像出力装置ＥＰへ出力する標準出力設定と、入力された画像データに設定テンプレートを適用して生成した画像データを前記画像出力装置ＥＰへ出力する特殊出力設定と指定する出力管理装置ＯＣとが設けられた写真処理装置において、前記出力管理装置ＯＣは、１オーダーの全ての画像について、前記画像出力装置ＥＰへの出力前に前記標準出力設定あるいは前記特殊出力設定を指定する入力操作を一連に受け入れ可能に構成されている。【選択図】図１
2006148223.tif 000002
【特許請求の範囲】
【請求項１】
画像を出力処理する画像出力装置と、入力された画像データを前記画像出力装置にて出力するための画像データに補正処理する画像処理装置と、入力された画像データを画像処理装置にて補正処理して生成した画像データを前記画像出力装置へ出力する標準出力設定と、入力された画像データに設定テンプレートを適用して生成した画像データを前記画像出力装置へ出力する特殊出力設定と指定する出力管理装置とが設けられた写真処理装置であって、
前記出力管理装置は、１オーダーの全ての画像について、前記画像出力装置への出力前に前記標準出力設定あるいは前記特殊出力設定を指定する入力操作を一連に受け入れ可能に構成されている写真処理装置。
【請求項２】
前記出力管理装置は、前記補正処理における処理条件の入力操作を受け付けるときに、処理対象の画像をモニタに表示させると共に、そのモニタの表示画面上から前記特殊出力設定を指定するための入力操作を受け入れ可能となるように構成されている請求項１記載の写真処理装置。
【請求項３】
前記画像出力装置は、画像を画像形成対象部材上にプリント出力するように構成され、
前記出力管理装置は、１オーダーの画像内で複数のプリントサイズが指定され且つ指定されたプリントサイズのうちの何れかについてプリント可能なサイズの前記画像形成対象部材が装填されていないときに、プリント可能なサイズの前記画像形成対象部材が装填されているプリントサイズを指定した画像について先行して前記画像出力装置へ出力させ、プリント可能なサイズの前記画像形成対象部材が装填されていないプリントサイズを指定した画像の画像データを記憶保持し、その記憶保持した画像データを、プリント可能なサイズの前記画像形成対象部材が新たに装填されてプリントの開始が指示入力されたときに前記画像出力装置へ出力させるように構成されている請求項１又は２記載の写真処理装置。
【発明の詳細な説明】
【技術分野】
【０００１】
本発明は、画像を出力処理する画像出力装置と、入力された画像データを前記画像出力装置にて出力するための画像データに補正処理する画像処理装置と、入力された画像データを画像処理装置にて補正処理して生成した画像データを前記画像出力装置へ出力する標準出力設定と、入力された画像データに設定テンプレートを適用して生成した画像データを前記画像出力装置へ出力する特殊出力設定と指定する出力管理装置とが設けられた写真処理装置に関する。
【背景技術】
【０００２】
かかる写真処理装置は、例えば写真フィルムや各種の記憶媒体等を供給源として取込まれた画像を画像出力装置にて出力処理する装置であり、画像出力装置としては写真プリントとしてプリント出力する形式が最も一般的であるが、近年、ＣＤ−Ｒ等の記録媒体へ書込み出力して顧客に提供するサービスも普及してきている。
このような写真処理装置では、各種の画像の供給源から取込んだ画像を画像処理装置にて補正処理して画像品質を向上させる処理が行われている。
更に、上記のような補正処理を実行して生成した画像データで写真プリントを作製する標準的な設定（前記標準出力設定）の他に、取込んだ画像データを利用して、例えば、下記特許文献１に記載のような証明写真の撮影装置にて作製する証明写真の写真プリントと同等ものを作製するような特殊な形式（前記特殊出力設定）での写真プリント作製機能を備えさせることも考えられている。
このような特殊な形式の写真プリント作製機能としては、他に、画像の周囲に装飾的なフレームを付加したり、あるいは、カレンダーの日付文字部分と画像とを合成してオリジナルのカレンダーを作製する機能等も提供されている。
【０００３】
従来、上記標準の設定での出力と特殊な形式の設定での出力とを独立したものとして取扱い、一方の設定の画像についての処理条件の入力操作と画像出力装置への出力とを完了した後に、他方の設定の画像についての処理条件の入力操作と画像出力装置への出力とを実行するという作業を行っていた。
例えば、先ず上記標準の設定での出力を指定した画像について、各画像毎に補正処理の処理条件等の入力操作を行った後に補正処理を実行して画像出力装置へ出力し、次に、上記の特殊な形式で出力する設定を指定した画像について、各画像毎に処理条件の入力操作を行った後に指定された形式の処理を実行して画像出力装置へ出力するというような作業手順である。
このように、上記標準の設定での出力と特殊な形式の設定での出力とを独立したものとして取り扱うのは、高速な処理が要求される上記標準の設定での処理に、個々の画像についての詳細な入力操作が必要となり高速処理には向かない特殊な処理を混在させてしまうのは好ましくないと考えられていたためである。
更に、前記特殊出力設定を指定した画像出力を顧客から依頼されるケースとしては、例えば、最初に前記標準出力設定で通常の写真プリントを作製して顧客に提供し、顧客はその写真プリントの仕上がり画像を確認した後に特定の画像について前記特殊出力設定を指定して焼き増しプリントを依頼する、というのが典型的であり、１つのプリント注文内すなわち１オーダー内で前記標準出力設定を指定した画像と前記特殊出力設定を指定した画像とが混在するケースというのは、処理能力全体に大きく影響するほどには多くはなかったということもある。
【特許文献１】特開２００３−１８７３２６号公報
【発明の開示】
【発明が解決しようとする課題】
【０００４】
ところが、例えば、近年普及の著しいデジタルカメラでは、デジタルカメラの撮影画像を顧客自身が所有するパーソナルコンピュータ等で確認することができるので、初回の出力依頼の時点から、前記標準出力設定を指定すると共に、その前記標準出力設定を指定した画像の中で特に気に入った画像について前記特殊出力設定を指定したり、あるいは、ある画像は前記標準出力設定に指定し、他の画像は前記特殊出力設定に指定するというように画像毎に異なる設定を指定したりして、１つのオーダーにおいて前記標準出力設定の指定と前記特殊出力設定の指定とが混在するケースが増大するものと考えられる。
このような場合、上記従来構成では、事実上２つのオーダーの処理に相当する入力操作の手間が必要となっていた。
本発明は、かかる実情に鑑みてなされたものであって、その目的は、標準の出力形式以外の出力形式を混在させる場合でも、取扱いの容易な写真処理装置を提供する点にある。
【課題を解決するための手段】
【０００５】
本出願の第１の発明は、画像を出力処理する画像出力装置と、入力された画像データを前記画像出力装置にて出力するための画像データに補正処理する画像処理装置と、入力された画像データを画像処理装置にて補正処理して生成した画像データを前記画像出力装置へ出力する標準出力設定と、入力された画像データに設定テンプレートを適用して生成した画像データを前記画像出力装置へ出力する特殊出力設定と指定する出力管理装置とが設けられた写真処理装置において、前記出力管理装置は、１オーダーの全ての画像について、前記画像出力装置への出力前に前記標準出力設定あるいは前記特殊出力設定を指定する入力操作を一連に受け入れ可能に構成されている。
【０００６】
従って、１オーダーの画像に、入力された画像データを補正処理だけ行って出力する標準的な出力形態を指定したい画像と、例えばカレンダーや装飾用のフレーム等に入力された画像を合成する設定テンプレートを適用して出力する出力形態を指定したい画像とが混在する場合でも、操作者は夫々の設定に必要な入力操作を一連に行うことができ、その入力操作に対応して処理を行った画像データをまとめて画像出力装置へ出力することが可能となる。
【０００７】
又、本出願の第２の発明は、上記第１の発明の構成に加えて、前記出力管理装置は、前記補正処理における処理条件の入力操作を受け付けるときに、処理対象の画像をモニタに表示させると共に、そのモニタの表示画面上から前記特殊出力設定を指定するための入力操作を受け入れ可能となるように構成されている。
すなわち、画像処理装置にて画像データを補正処理する際の処理条件を操作者が入力操作する際に、操作者が補正処理の処理条件を決定するのを補助するために、モニタに処理対象の画像を表示させることが一般的に行われている。
この補正処理の処理条件の入力操作は各画像毎に設定するので、このモニタ表示を利用して各画像毎に設定テンプレートの適用の要否をも入力操作可能とすることで、前記特殊出力設定を指定する場合も入力操作を統合することができる。
【０００８】
又、本出願の第３の発明は、上記第１又は第２の発明の構成に加えて、前記画像出力装置は、画像を画像形成対象部材上にプリント出力するように構成され、前記出力管理装置は、１オーダーの画像内で複数のプリントサイズが指定され且つ指定されたプリントサイズのうちの何れかについてプリント可能なサイズの前記画像形成対象部材が装填されていないときに、プリント可能なサイズの前記画像形成対象部材が装填されているプリントサイズを指定した画像について先行して前記画像出力装置へ出力させ、プリント可能なサイズの前記画像形成対象部材が装填されていないプリントサイズを指定した画像の画像データを記憶保持し、その記憶保持した画像データを、プリント可能なサイズの前記画像形成対象部材が新たに装填されてプリントの開始が指示入力されたときに前記画像出力装置へ出力させるように構成されている。
【０００９】
画像出力装置が写真プリントをプリント出力する装置として構成されている場合、指定されたプリントサイズでのプリントが可能な前記画像形成対象部材が画像出力装置に装填されていない場合もある。
１つのオーダーの画像内で前記標準出力設定を指定した画像と前記特殊出力設定を指定した画像とが混在する場合では、それによって指定するプリントサイズが画像間で異なる場合が少なからず存在し、いずれかのプリントサイズにおいてプリント可能なサイズの画像形成対象部材が装填されていないときは、画像形成対象部材の交換作業等が必要となる。
このような場合に、プリントサイズが変わる度に前記画像形成対象部材の交換作業を行っていたのでは、プリント処理に多大な処理時間を要することになり、前記標準出力設定や前記特殊出力設定の指定作業を簡単に行えるようにした利点が著しく減殺されてしまう。
そこで、装填されている画像形成対象部材でプリント可能なプリントサイズを指定した画像が存在すれば、その画像について先行してプリント処理し、装填されていないサイズの前記画像形成対象部材を必要とするプリントサイズが指定された画像については、記憶装置に記憶保持しておいて、操作者が適宜のタイミングで前記画像形成対象部材を交換してプリントの開始を指示できるようにしたのである。
【発明の効果】
【００１０】
上記第１の発明によれば、１オーダーの画像に、前記標準出力設定を指定したい画像と前記特殊出力設定を指定した画像とが混在する場合でも、操作者は夫々の設定に必要な入力操作を一連に行うことができ、その入力操作に対応して処理を行った画像データをまとめて画像出力装置へ出力することが可能となるので、そのような場合における写真処理装置の取扱いを容易且つ効率的にすることができる。
又、上記第２の発明によれば、画像処理装置の処理条件の入力のためのモニタ画面を流用して前記特殊出力設定を指定する入力操作を統合するので、画像処理装置の取扱いを一層容易なものとすることができる。
又、上記第３の発明によれば、指定されたプリントサイズに対応するサイズの前記画像形成対象部材が装填されていない場合に、操作者の都合の良いタイミングで前記画像形成対象部材の交換作業等を行えるので、プリント作業効率を可及的に向上させることができる。
【発明を実施するための最良の形態】
【００１１】
以下、本発明の写真処理装置の実施の形態を図面に基づいて説明する。
本実施の形態で例示する写真処理装置は、各種の画像保持メディアから取込んだ画像を写真プリントとしてプリント出力する写真プリントシステムとして構成されたものであり、いわゆるデジタルミニラボ機として知られているものである。
本実施の形態の写真プリントシステムＤＰは、図１のブロック図に示すように、現像処理済みの写真フィルムやメモリーカード，光磁気ディスクあるいはＣＤ−Ｒ等から写真プリントを作製するための画像データを取込む画像入力装置ＩＲと、画像入力装置ＩＲにて取込んだ画像データに基づいて画像形成対象部材ＰＳである印画紙２に画像をプリントする形態で画像を出力処理する画像出力装置ＥＰとから構成されている。
【００１２】
〔画像入力装置ＩＲの概略構成〕
画像入力装置ＩＲには、図１に概略的に示すように、写真フィルムの駒画像を読み取るフィルムスキャナ３と、メモリーリーダ／ライタ，光磁気ディスクドライブ及びＣＤ−Ｒドライブ等を備えた外部入出力装置４と、パーソナルコンピュータにて構成されるコンピュータ５と、フィルムスキャナ３や外部入出力装置４から入力された画像データを画像出力装置ＥＰにて出力するための画像に補正処理する画像処理装置６とが備えられ、コンピュータ５には、仕上がりプリント画像をシミュレートしたシミュレート画像や各種の制御用の情報を表示するモニタ５ａと、露光条件の手動設定等や制御情報の入力操作をするための操作卓５ｂとが接続され、更に図示を省略するマウス等も備えられている。コンピュータ５は、画像入力装置ＩＲのみならず写真プリントシステムＤＰ全体の管理を行っている。
【００１３】
〔画像出力装置ＥＰの概略構成〕
図１に示すように、画像出力装置ＥＰは、筐体内部に、画像形成装置ＥＸと、画像形成装置ＥＸにて画像が露光形成された印画紙２を現像処理する現像処理装置ＰＰと、筐体内に配置された印画紙マガジン７から引き出された印画紙２を多数の搬送ローラ８等にて現像処理装置ＰＰへ搬送する印画紙搬送系ＰＴとが設けられている。
図示を省略するが、プリント装置ＥＰの筐体外部には、現像処理装置ＰＰにて現像処理及び乾燥処理された印画紙２をオーダ毎に分類するためのソータが備えられ、現像処理装置ＰＰの排出口から排出された印画紙２をコンベア９にてソータへ搬送する。
印画紙搬送系ＰＴの搬送経路の途中には、印画紙マガジン７から引き出された長尺の印画紙２を設定プリントサイズに切断するカッタ１０と、印画紙２を複数の搬送列に振り分けるための振り分け装置１１が備えられている。
【００１４】
画像形成装置ＥＸは、印画紙２上に露光画像を形成する画像形成ヘッド１２と、画像形成ヘッド１２を制御する露光制御装置１３とを主要部として構成されている。
画像形成ヘッド１２は、設定プリントサイズに切断された印画紙２の搬送経路の途中箇所を画像形成位置とするように取り付けられ、その画像形成位置において印画紙搬送方向と直交する方向でレーザビームを走査する。
画像形成ヘッド１２から出射されるレーザビームは、露光制御装置１３の制御により、画像処理装置６から入力される画像データに基づいて強度変調されている。
印画紙搬送系ＰＴにて搬送駆動される印画紙２に対して上述のように強度変調されたレーザビームが走査されることで、印画紙２上に画像が露光形成され、それが現像処理装置ＰＰにて現像処理されると写真プリントとして仕上がる。
【００１５】
〔写真プリントの作製動作〕
次に、上記構成の写真プリントシステムＤＰによる写真プリントの作製動作を、フィルムスキャナ３から画像を取込んでプリント処理させる場合について、画像入力装置ＩＲのコンピュータ５が実行する図５及び図６のフローチャートに基づいて概略的に説明する。
外部入出力装置４から画像を取込んでプリント処理させる場合も、画像データがコンピュータ５を経て画像処理装置６へ入力される点を除き、下記の処理と共通の処理となる。
本実施の形態の写真プリントシステムＤＰでは、フィルムスキャナ３や外部入出力装置４から入力された画像データを画像処理装置６にて補正処理して、その補正処理した１つの画像の画像データで単純に１枚の写真プリントを作製する標準出力設定と、フィルムスキャナ３等から入力された画像データをベースとして、その画像データに対して各種のテンプレートを適用して特殊な装飾処理等を施した写真プリントを作製する特殊出力設定とを指定することができ、コンピュータ５は、これらを指定する出力管理装置ＯＣとして機能する。
この標準出力設定と特殊出力設定とは、１オーダーの画像に対して、画像処理装置６による補正処理の処理条件の入力等の各種の入力操作を行う一連の過程において指定することができる。
【００１６】
以下、図５及び図６の処理を詳細に説明する。
コンピュータ５では、基本的な待機状態として、モニタ５ａに各種の入力操作を受け付ける初期画面を表示している。
この初期画面からプリント動作の開始を指示すると、図５及び図６の処理が起動する。
プリント動作の開始にあたっては、フィルムスキャナ３等からプリント作製対象の画像データを取込んでプリント処理させる動作の他に、過去にプリント処理の実行を保留していたものを呼び出してプリント処理させる動作を指定することもできる。
【００１７】
図５及び図６の処理が開始されると、先ず、フィルムスキャナ３から画像データを取込んでプリント処理する新規のプリント動作を指定されているか、あるいは、プリント処理の実行を保留していたものについてのプリント動作を指定されているかを入力データから判別し（ステップ＃１）、新たに画像データを取込んでプリント処理させる旨が指定されている場合は、フィルムスキャナ３に対して画像データの取込み開始を指示する（ステップ＃２）。
これに伴って、フィルムスキャナ３では、セットされている写真フィルムの搬送駆動を開始して各駒画像をＣＣＤラインセンサにて読取り、Ａ／Ｄコンバータにてデジタル画像データに変換した後、画像入力装置ＩＲの画像処理装置６へ順次に出力する。
画像処理装置６は、フィルムスキャナ３から受け取った各画像の画像データをメモリ等の記憶装置に記憶保持すると共に、それらの画像の縮小画像を生成する。
【００１８】
コンピュータ５は、画像の取込み開始を指示した後、画像処理装置６に対して、６駒単位で上記の縮小画像を送信するように要求する（ステップ＃３）。
この要求に従って、画像処理装置６からコンピュータ５へ縮小画像が送られると（ステップ＃４）、コンピュータ５は、モニタ５ａの画面表示を初期画面から図２に示すような補正入力画面に変更する。
図２の表示画面では、画像処理装置６から受け取った縮小画像に所定の処理条件で補正処理を実行した画像をＳ１〜Ｓ６の６つ縮小画像表示エリアに表示すると共に、各縮小画像表示エリアに対応して、その画像の色補正を指示入力するための色補正ボタン表示５１を表示し、更に、表示された６駒について必要な補正指示等の入力操作が完了したことを指令する入力完了ボタン表示５２や、プリント対象の画像データに各種のテンプレートを適用して前記特殊出力設定を指定する場合に、適用するテンプレートを選択するためのリストボックス表示５３等が表示される。
【００１９】
Ｓ１〜Ｓ６の６つ縮小画像表示エリアに表示される画像に適用される補正処理の処理条件は、フィルムスキャナ３にセットされた写真フィルムの種類に対して予め設定されている処理条件であり、画像処理装置６において実行されるものと同等の補正処理を縮小画像に対して実行している。これによって、Ｓ１〜Ｓ６の６つ縮小画像表示エリアには、仕上がりプリントをシミュレートしたシミュレート画像が表示されることになっている。
写真プリントシステムＤＰの操作者は、各縮小画像表示エリアに表示される画像を観察して、その画像が所望の色となるように色補正ボタン表示５１を操作して補正処理の処理条件の修正量を入力操作する。図２の画面表示では、その入力値が画面表示に反映され、更に更新されるまで入力された状態を保持する。
【００２０】
一方、前記特殊出力設定を指定する場合は、図２において「＃０３」の縮小画像（上段右端のＳ３に表示している縮小画像）について示しているように、リストボックス表示５３を操作して、予め用意されている設定テンプレートのリストをプルダウンメニューでリスト表示させる。
このリスト表示されているうちの何れかの設定テンプレートが選択されると（ステップ＃６）、その選択した設定テンプレートについての処理条件を入力操作するための入力画面がウィンドウ表示される（ステップ＃７）。
操作者は、このウィンドウ表示において、各テンプレートについて必要とされる処理条件を入力操作し、入力操作が完了したことを指示するボタンを操作すると（ステップ＃８）、入力された処理条件を記憶保持し、そのウィンドウ表示を閉じる（ステップ＃９）。
この際、このウィンドウ表示には、この設定テンプレートを適用した特殊出力設定を指定する場合でも、別途、前記標準出力設定での通常の写真プリントを作製させるように指示入力する機能も備えられており、この特殊出力設定による写真プリントと前記標準出力設定による写真プリントとを同時に作製させることも可能となっている。又、上記初期画面において１オーダーの画像に対して一律に設定されるプリントサイズに代えて、その特殊出力設定を指定する画像についてのみ適用するプリントサイズを入力操作できる機能をも有する。
【００２１】
図２の画面表示に表示されている６駒の画像について、色補正ボタン表示５１から補正処理の処理条件の入力操作が完了すると共に、必要に応じて、リストボックス表示５３にリスト表示される設定テンプレートについての入力操作が完了して、操作者が入力完了ボタン表示５２を操作すると（ステップ＃１０）、図２の表示画面上の各入力値を保存し（ステップ＃１１）、１オーダーの画像についての入力操作が完了するまで（ステップ＃１２）、後続の６駒について上記同様の処理を繰り返す（ステップ＃３〜＃１２）。
これによって、１オーダーの全ての画像について、画像出力装置ＥＰへの出力前に前記標準出力設定あるいは前記特殊出力設定を指定する入力操作を一連に受け入れ可能となっている。
１オーダーの画像全てについて補正処理条件等の入力操作が完了すると（ステップ＃１２）、図２の画面表示で入力された各種の処理条件での補正処理を画像処理装置６に指示する。
画像処理装置６は、フィルムスキャナ３から受け取った画像データに対してコンピュータ５から指示された処理条件で補正処理を実行し、１オーダーの画像の中に前記特殊出力設定が指定された画像が存在するときは、その画像についての補正処理後の画像データをコンピュータ５へ送る。
【００２２】
コンピュータ５は、この補正処理後の画像データを受け取ると（ステップ＃１４，＃１５）、その画像について指定された設定テンプレートを適用して画像処理し、処理後の画像データをプリント出力用の画像データとして画像処理装置６へ送り返す（ステップ＃１６）。
例えば、前記設定テンプレートとして、「フレーム」を指定したときは、図３（ａ）に例示するようなフレーム画像ＦＩの中央の画像貼り付け用エリアＩＡに対象画像を合成するテンプレートを適用して、図３（ｂ）に例示するような画像データを生成し、前記設定テンプレートとして、「カレンダー」を指定したときは、図４（ａ）に例示するようなカレンダー画像ＣＩの上部寄りに位置する画像貼り付け用エリアＩＡに対象画像を合成するテンプレートを適用して、図４（ｂ）に例示するような画像データを生成する。
【００２３】
次に、プリント出力する各画像毎に、各画像のプリントサイズに対応するサイズの印画紙２が印画紙マガジン７に装填されているか否かを確認し（ステップ＃１７）、対応するサイズの印画紙２が装填されていないときは、モニタ５ａに印画紙２を交換すべき旨を表示する（ステップ＃１８）。このような処理を行っているのは、特殊出力設定のテンプレートを適用した画像が混在する場合、各画像毎にプリントサイズが異なっている可能性が存在するからである。尚、この際の印画紙２の交換頻度の低減のために、プリント出力される画像は、同一のプリントサイズ毎に並び順が変更されている。
操作者が、印画紙２を指定されたサイズのものに交換する意思があることを指示入力し（ステップ＃１９）、印画紙２の交換作業を行った後に交換作業の完了を入力すると（ステップ＃２０）、その画像の画像データ（画像処理装置６にて補正処理された画像データ、あるいは、更にコンピュータ５にて何れかのテンプレートが適用された画像データ）を露光制御装置１３を送信してプリント処理させるように指示する（ステップ＃２２）。
【００２４】
一方、操作者が、印画紙２を交換しないで作業を継続する意思を指示入力したときは（ステップ＃１９）、その画像のプリント処理を保留して画像データをコンピュータ５へ送信し、コンピュータ５に内蔵されたハードディスク装置等に記憶保持させる（ステップ＃２１）。
これによって、対応するサイズの印画紙２が装填されていないプリントサイズが指定された画像が存在し、且つ、印画紙２の交換作業を行わない場合でも、対応するサイズの印画紙２が装填されているプリントサイズが指定された画像については、先行して画像出力装置ＥＰへ出力されてプリント処理される。
このようにプリント処理を保留して記憶保存された画像データは、操作者が適宜のタイミングでサイズが適合する印画紙２に交換し、プリント処理の実行を保留していた画像を呼び出してプリント処理させる旨を指定して図５及び図６の処理を起動させることで、ステップ＃１７以降の処理が実行され、コンピュータ５に記憶保持されていた画像データが順次に画像出力装置ＥＰの露光制御装置１３へ出力されて、プリント処理させることができる。
１オーダーの画像について全てプリント出力が完了すると（ステップ＃２３）、呼び出し元の処理（初期画面）へ復帰する。
【００２５】
〔別実施形態〕
以下、本発明の別実施形態を列記する。
（１）上記実施の形態では、画像出力装置ＥＰとして、画像を印画紙２にプリント出力する場合を例示しているが、例えば、上記実施の形態における外部入出力装置４を画像出力装置ＥＰとして、前記標準出力設定あるいは前記特殊出力設定にて処理した画像データを例えばＣＤ−Ｒメディアや光磁気ディスク等の記録媒体に書込み出力する場合にも本発明を適用できる。
（２）上記実施の形態では、入力された画像データを補正処理するために、専用の画像処理装置６を備える場合を例示しているが、画像処理装置６の機能をコンピュータ５におけるソフトウェア処理にて実現するように構成しても良い。
【図面の簡単な説明】
【００２６】
【図１】本発明の実施の形態にかかる写真プリントシステムのブロック構成図
【図２】本発明の実施の形態にかかるモニタの入力操作画面の１例を示す図
【図３】本発明の実施の形態にかかるテンプレートの適用を説明するための図
【図４】本発明の実施の形態にかかるテンプレートの適用を説明するための図
【図５】本発明の実施の形態にかかるフローチャート
【図６】本発明の実施の形態にかかるフローチャート
【符号の説明】
【００２７】
６    画像処理装置
ＥＰ  画像出力装置
ＯＣ  出力管理装置
ＰＳ  画像形成対象部材
【図１】
2006148223.tif 000003
【図２】
2006148223.tif 000004
【図３】
2006148223.tif 000005
【図４】
2006148223.tif 000006
【図５】
2006148223.tif 000007
【図６】
2006148223.tif 000008